(57)【特許請求の範囲】
【請求項１】
空気中から窒素を選択的に吸着し得る吸着剤を含む吸着室（２，３）と、吸着室に空気を供給する送風手段（１）と、吸着室から取出された酸素濃縮ガスを貯留するガス貯留手段（４）と、ガス貯留手段から酸素濃縮ガスを取出すガス取出手段とを備えた酸素濃縮機において、
ガス取出手段を介して取出されるガスの流量を決定する製品ガス取出流量決定手段（１０）と、
製品ガス取出流量に応じて、送風手段を介して吸着室に供給される空気の流量を決定する供給空気流量決定手段（２０）と、
前記供給空気流量決定手段（２０）により決定された供給空気量に応じて、吸着室内でのガス加圧時間を決定する加圧時間決定手段（３０）とを備えることを特徴とする、酸素濃縮機。
【請求項２】
送風手段と吸着室とを結ぶガス流路を開閉する入口弁（５，６）と、  吸着室からガスを排気するガス流路を開閉する排出弁（７，８）と、
決定されたガス加圧時間に応じて、入口弁および排出弁の開閉制御を行なう入口弁・排出弁開閉制御手段（３１）とを備える、請求項１に記載の酸素濃縮機。
【請求項３】
前記送風手段は、コンプレッサ（１）と、決定された供給空気流量に応じて、コンプレッサの能力を制御するコンプレッサ能力制御手段（２１）とを備える、請求項１または２に記載の酸素濃縮機。
【請求項４】
前記吸着室から取出される酸素濃縮ガスの酸素濃度を検出する酸素濃度検出手段（４０）と、
検出した酸素濃度と予め設定した酸素濃度とを比較する酸素濃度比較手段（４１）とを備え、
検出酸素濃度が設定酸素濃度を下回ることが判別されたのに応じて、前記供給空気流量決定手段および加圧時間決定手段は、それぞれ、設定酸素濃度に近づけるように供給空気流量および加圧時間を調整する、請求項１〜３のいずれか１項に記載の酸素濃縮機。
【請求項５】
空気中から窒素を選択的に吸着し得る吸着剤を含む吸着室と、吸着室に空気を供給する送風手段と、吸着室から取出された酸素濃縮ガスを貯留するガス貯留手段と、ガス貯留手段から酸素濃縮ガスを取出すガス取出手段とを備えた酸素濃縮機の制御方法であって、
ガス取出手段を介して取出される製品ガス取出流量の設定値に応じて、送風手段を介して吸着室に供給される供給空気流量を決定するとともに、該供給空気流量に応じて吸着室内でのガス加圧時間を制御することを特徴とする、酸素濃縮機の制御方法。
【請求項６】
空気中から窒素を選択的に吸着し得る吸着剤を含む吸着室と、吸着室に空気を供給する送風手段と、吸着室から取出された酸素濃縮ガスを貯留するガス貯留手段と、ガス貯留手段から酸素濃縮ガスを取出すガス取出手段とを備えた酸素濃縮機の制御方法であって、
起動時には、製品ガス取出流量の値にかかわりなく送風手段の能力を上げて作動させ、その後徐々に製品ガス取出流量設定値に適合した能力となるまで送風手段の能力を連続的に下げていくことを特徴とする酸素濃縮機の制御方法。
【請求項７】
空気中から窒素を選択的に吸着し得る吸着剤を含む吸着室と、吸着室に空気を供給する送風手段と、吸着室から取出された酸素濃縮ガスを貯留するガス貯留手段と、ガス貯留手段から酸素濃縮ガスを取出すガス取出手段とを備えた酸素濃縮機の制御方法であって、
製品ガス取出流量の設定値を変更した際、一時的に送風手段の能力を上げて作動させ、その後徐々に新たな製品ガス取出流量設定値に適合した能力となるまで送風手段の能力を連続的に下げてくことを特徴とする酸素濃縮機の制御方法。
【請求項８】
前記送風手段の能力を下げていくのに応じて、吸着室内でのガス加圧時間の長さを調整する、請求項６または７に記載の酸素濃縮機の制御方法。
【発明の詳細な説明】
【０００１】
【発明の属する技術分野】
この発明は、呼吸器疾患患者等に対して在宅酸素療法を行なうための酸素濃縮機に関するものであり、特に、空気中の窒素を吸着剤に吸着させて分離し、濃縮した酸素を含む製品ガスを取出す圧力変動吸着型（ＰＳＡ）酸素濃縮機に関するものである。
【０００２】
【従来の技術および発明が解決しようとする課題】
圧力変動吸着型酸素濃縮機は、空気中から窒素を選択的に吸着し得る吸着剤を含む吸着室と、吸着室に空気を供給する送風手段と、吸着室から取出された酸素濃縮ガスを貯留するガス貯留手段と、ガス貯留手段から酸素濃縮ガスを取出すガス取出手段とを備える。
【０００３】
酸素濃縮機からの製品ガス取出流量は、使用者によって適宜調節される。たとえば、１リットル／分で取出される場合もあれば、３リットル／分で取出される場合もある。
【０００４】
従来から提供されている一般的な酸素濃縮機においては、製品ガスの最大取出流量に対応できるようにするために、送風手段としてのコンプレッサ能力を最大取出流量に合わせて設定していた。コンプレッサは、製品ガス取出流量の大小にかかわらず、設定された能力のままで連続運転される。
【０００５】
そのため、製品ガス取出流量が少ないときには、コンプレッサは過剰能力で運転されることになる。言い換えれば、過剰電力が消費されたことになる。
【０００６】
特開平３−１３１５０４号公報は、コンプレッサ消費電力低減のために、製品ガス取出流量に応じて吸着剤に対する脱着工程の時間を調整することによって、コンプレッサの低負荷での運転時間を長くすることを提案している。しかしながら、コンプレッサの能力自体を調整していないので、消費電力の低減は不十分である。
【０００７】
我が国には、電源周波数が５０Ｈｚの地域と６０Ｈｚの地域とがある。電源周波数が異なればコンプレッサを駆動するモータの回転数やトルクが異なってくるので、コンプレッサの能力が変化する。コンプレッサ能力の変化は、吸着室での空気供給流量の変化をもたらす。そのため、運転条件が同じであれば、電源周波数の変化によって取出した製品ガス中の酸素濃度が異なってくる。たとえば、同じ製品ガス取出流量であるとすると、６０Ｈｚの地域における製品ガス中の酸素濃度が５０Ｈｚ地域のものよりも高くなる。
【０００８】
実開平５−４４２２２号公報は、製品ガス中の酸素濃度を一定に維持するために、電源周波数に応じて、吸着室へ原料空気を加圧供給する工程と、吸着室内のガスを減圧排気する工程とを交番的に切換えるための切換時間を調整することを提案している。しかしながら、この公報に開示された酸素濃縮機においては、コンプレッサ能力は一定のままであるので、消費電力の低減にはつながらない。
【０００９】
酸素濃縮機を起動する際、または製品ガス取出流量の設定値を低い値から高い値に変更する際、取出す製品ガス中の酸素濃度が所定の値になるまでに時間を要する。そのため、起動時や取出流量設定変更時に、製品ガス中の酸素濃度を短時間で所定値にまで上昇させることのできる酸素濃縮機が望まれる。
【００１０】
この発明の１つの目的は、酸素濃縮機の消費電力を低減することである。
この発明の他の目的は、電源周波数の変化にかかわらず、製品ガス中の酸素濃度を一定に維持できるようにすることである。
【００１１】
この発明のさらに他の目的は、酸素濃縮機の起動時や製品ガス取出流量の設定変更時に、製品ガス中の酸素濃度を短時間に所望の値にまで上昇させることができるようにすることである。
【００１２】
【課題を解決するための手段】
この発明は、空気中から窒素を選択的に吸着し得る吸着剤を含む吸着室と、吸着室に空気を供給する送風手段と、吸着室から取出された酸素濃縮ガスを貯留するガス貯留手段と、ガス貯留手段から酸素濃縮ガスを取出すガス取出手段とを備えた酸素濃縮機を前提とする。
【００１３】
請求項１に記載の発明は、製品ガス取出流量に応じて、送風手段を介して吸着室に供給される空気の流量を決定する供給空気流量決定手段と、供給空気流量決定手段により決定された供給空気量に応じて、吸着室内でのガス加圧時間を決定する加圧時間決定手段とを備えることを特徴とする。
【００１４】
請求項１に記載の発明によれば、製品ガス取出流量に応じて供給空気流量を調整するので、低消費電力化を図ることができる。また、製品ガス取出流量に応じてガス加圧時間を調整するので、高い酸素収率で製品ガスを取出すことができる。
【００１５】
請求項２に記載したように、酸素濃縮機は、好ましくは、入口弁と、排出弁と、入口弁・排出弁開閉制御手段とを備える。入口弁は、送風手段と吸着室とを結ぶガス流路を開閉する。排出弁は、吸着室からガスを排気するガス流路を開閉する。入口弁・排出弁開閉制御手段は、決定されたガス加圧時間に応じて、入口弁および排出弁の開閉制御を行なう。
【００１６】
請求項３に記載したように、送風手段は、好ましくは、コンプレッサと、決定された供給空気流量に応じてコンプレッサの能力を制御するコンプレッサ能力制御手段とを備える。
【００１７】
請求項４に記載したように、酸素濃縮機は、好ましくは、酸素濃度検出手段と、酸素濃度比較手段とを備える。酸素濃度検出手段は、吸着室から取出される酸素濃縮ガスの酸素濃度を検出する。酸素濃度比較手段は、検出した酸素濃度と予め設定した酸素濃度とを比較する。検出酸素濃度が設定酸素濃度を下回ることが判別されたのに応じて、供給空気流量決定手段および加圧時間決定手段は、それぞれ、設定酸素濃度に近づけるように供給空気流量および加圧時間を調整する。
【００１８】
上記請求項４に記載の発明によれば、適用される電源周波数が異なった場合でも取出した製品ガス中の酸素濃度を同一に維持することができる。また、長期間の使用によって吸着剤の性能が劣化してきた場合であっても、取出す製品ガス中の酸素濃度をほぼ一定に維持することができる。
【００１９】
請求項５に記載の発明は酸素濃縮機の制御方法であって、ガス取出手段を介して取出される製品ガス取出流量の設定値に応じて、送風手段を介して吸着室に供給される供給空気流量を決定するとともに、吸着室内でのガス加圧時間を決定するとともに、該供給空気流量に応じて吸着室内でのガス加圧時間を制御することを特徴とする。
【００２０】
上記請求項５に記載の発明によれば、低消費電力化を図ることができるとともに、高い酸素収率で製品ガスを取出すことができる。
【００２１】
請求項６に記載の発明は、酸素濃縮機の制御方法であって、起動時に、製品ガス取出流量の値にかかわりなく送風手段の能力を上げて作動させ、その後徐々に製品ガス取出流量設定値に適合した能力となるまで送風手段の能力を連続的に下げていくことを特徴とする。
【００２２】
上記請求項６に記載の発明によれば、起動時に、製品ガス中の酸素濃度を短時間で所望の値に上昇させることができる。
【００２３】
請求項７に記載の発明は酸素濃縮機の制御方法であって、製品ガス取出流量の設定値を変更した際、一時的に送風手段の能力を上げて作動させ、その後徐々に新たな製品ガス取出流量設定値に適合した能力となるまで送風手段の能力を連続的に下げてくことを特徴とする。
【００２４】
上記請求項７に記載の発明によれば、製品ガス取出流量設定値を変更した際に、製品ガス中の酸素濃度を短時間で所望の値にまで上昇させることができる。
【００２５】
請求項８に記載したように、好ましくは、送風手段の能力を下げていくのに応じて、吸着室内でのガス加圧時間の長さを調整する。このようにすることにより、高い酸素収率で製品ガスを取出すことができる。
【００２６】
【発明の実施の形態】
図１に示す酸素濃縮機は、コンプレッサ１と、第１吸着筒２と、第２吸着筒３と、アキュムレータタンク４と、入口弁５，６と、排気弁７，８と、加圧弁９と、チェック弁１０とを備える。第１吸着筒２および第２吸着筒３は、それぞれ、空気中から窒素を選択的に吸着し得る吸着剤を含む。コンプレッサ１は、モータによって駆動されて空気を第１吸着筒２および第２吸着筒３に供給する。第１吸着筒２および第２吸着筒３から取出された酸素濃縮ガスはアキュムレータタンク４に貯留される。このアキュムレータタンク４に貯留された酸素濃縮ガスは、図示していないガス取出手段によって製品ガスとして取出される。
【００２７】
入口弁５および６は、それぞれ、コンプレッサ１と第１および第２吸着筒２，３とを結ぶガス流路を開閉する。排気弁７および８は、それぞれ、第１および第２吸着筒２，３からガスを排気するガス流路を開閉する。加圧弁９は、第１吸着筒２と第２吸着筒３とを結ぶガス流路を開閉する。チェック弁１０は、第１および第２吸着筒２，３から取出された所定圧のガスがアキュムレータタンク４へ向かって流れるのを許容するが、逆方向への流れを禁止する。
【００２８】
図２は、酸素濃縮機の加圧／排気サイクルを示す。説明の便宜上、サイクルを６つのステップに分け、各ステップに対応したガスの流れを図３〜図８に示す。図２〜図８を参照しながら、酸素濃縮機の加圧／排気サイクルを説明する。
【００２９】
なお、図３〜図８中において、入口弁、排気弁および加圧弁に対して「○」印および「×」印を付したが、「○」印は開状態を示し、「×」印は閉状態を示す。
【００３０】
（ステップ１）
入口弁５および加圧弁９が開き、入口弁６、排気弁７および排気弁８が閉じている。コンプレッサ１から供給される空気は入口弁５を通って第１吸着筒２内に送られる。第２吸着筒３から取出される酸素濃縮ガスはチェック弁１０を通ってアキュムレータタンク４へ送られるとともに、加圧弁９を通って第１吸着筒２にも送られる。
【００３１】
（ステップ２）
入口弁５および排気弁８が開き、入口弁６および排気弁７および加圧弁９が閉じる。コンプレッサ１から送り出された空気は入口弁５を通って第１吸着筒２内に供給され、ここで窒素を吸着剤に吸着させて分離する。第１吸着筒２から取出される酸素濃縮ガスはチェック弁１０を通ってアキュムレータタンク４に送られる。第２吸着筒３内の窒素リッチのガスは排気弁８を通って減圧排気される。
【００３２】
（ステップ３）
入口弁５および加圧弁９が開き、入口弁６、排気弁７および排気弁８が閉じる。第１吸着筒２から取出される酸素濃縮ガスはアキュムレータタンク４へ送られるとともに、加圧弁９を通って第２吸着筒３へも送られる。
【００３３】
（ステップ４）
入口弁５、排気弁７，８が閉じ、入口弁６および加圧弁９が開く。第１吸着筒２への空気の供給は遮断される。第１吸着筒２から取出される酸素濃縮ガスはアキュムレータタンク４へ送られると同時に、加圧弁９を通って第２吸着筒３へも送られる。第２吸着筒３へは、コンプレッサ１から送り出された空気が入口弁６を通って供給される。
【００３４】
（ステップ５）
入口弁６および排気弁７が開き、入口弁５、排気弁８および加圧弁９が閉じる。第１吸着筒２内の窒素リッチのガスは排気弁７を通って減圧排気される。第２吸着筒３から取出される酸素濃縮ガスはチェック弁１０を通ってアキュムレータタンク４へ送られる。
【００３５】
（ステップ６）
入口弁６および加圧弁９が開き、入口弁５、排気弁７，８が閉じる。第２吸着筒３から取出される酸素濃縮ガスはアキュムレータタンク４へ送られると同時に、加圧弁９を通って第１吸着筒２へも送られる。
【００３６】
上記ステップ１〜６のサイクルが連続して行なわれる。
本願発明者は、酸素濃縮機の低消費電力化を図るとともに、高い酸素収率で製品ガスを取出すことができるようにするために、運転条件を変えて種々の実験を行なった。
【００３７】
低消費電力化を図るためには、製品ガス取出流量の値に応じてコンプレッサ１の能力を調整することが必要である。コンプレッサ１の能力調整は、たとえば、コンプレッサを駆動するモータをインバータ制御することにより、または電圧制御することにより実現できる。
【００３８】
コンプレッサ１の能力調整によって吸着筒２，３へ供給される空気流量が調節される。製品ガス取出流量が小さければ、供給空気流量も小さくされる。製品ガス取出流量が大きくなれば、供給空気流量も大きくされる。
【００３９】
製品ガス取出流量に応じて供給空気流量を調節することによって酸素濃縮機の低消費電力化を実現できるが、高い酸素収率で製品ガスを取出すためには別のパラメータも調整しなければならない。空気中の窒素は、吸着筒（吸着室）内で加圧されることによって吸着剤に吸着する。この際、吸着剤による吸着量が飽和してくると、窒素吸着性能（空気中から窒素を分離する性能）が低下してくる。そこで、高い酸素収率を維持するには、加圧時間を適切に選ぶことが重要である。
【００４０】
なお、「加圧時間」とは、コンプレッサ１などの送風手段から吸着筒２，３へ空気が供給されている時間、すなわち入口弁５，６が開いている時間である。
【００４１】
「酸素収率」とは、「供給された空気中の酸素量」に対する「取出された製品ガス中の酸素量」の比率である。
【００４２】
本願発明者は、供給空気流量の大きさを変えて、加圧時間と取出した製品ガス中の酸素濃度との関係を調べた。その結果を図９に示す。
【００４３】
曲線Ａ、ＢおよびＣはそれぞれ、次の条件によって得られたものである。
曲線Ａ：供給空気流量１００リットル／分，製品ガス取出流量５リットル／分
曲線Ｂ：供給空気流量５５リットル／分，製品ガス取出流量３リットル／分
曲線Ｃ：供給空気流量３０リットル／分，製品ガス取出流量２リットル／分
図９から明らかなように、供給空気流量の大きさによって、最大酸素収率を確保するための加圧時間の長さが異なる。最大酸素収率を確保するには、供給空気流量が１００リットル／分の場合加圧時間を約９．５秒にし、供給空気流量が５５リットル／分の場合加圧時間を約１２秒にし、供給空気流量が３０リットル／分の場合加圧時間を約１５秒にするのがよいことがわかる。
【００４４】
図１０は、最大酸素収率を確保するための供給空気量と加圧時間との関係を示す図である。最大酸素収率を確保するには、供給空気量が多いときには加圧時間を短くし、供給空気量が小さくなれば加圧時間を長くするのがよい。
【００４５】
以上の説明から明らかなように、酸素濃縮機の低消費電力化を図るとともに、高い酸素収率で製品ガスを取出すには、製品ガス取出量に応じて最適供給空気量および加圧時間を調整することが必要である。図１１は、このことをわかり易く図示している。
【００４６】
たとえば製品ガス取出量を２リットル／分に設定した場合、この量に適合した供給空気量を決定する。その量は、たとえば３０リットル／分である。さらに、決定された供給空気量で高い酸素収率を確保するのに最適な加圧時間を決定する。たとえば１５秒である。
【００４７】
図１１中に例２として示したのは、製品ガス取出量を３リットル／分に設定した場合である。この場合には、供給空気量が５５リットル／分に設定され、加圧時間が１２秒に設定される。
【００４８】
上記動作を実現するための必要な構成を図１２に示す。酸素濃縮機は、ガス取出手段（図示せず）を介して取出されるガスの流量を決定する製品ガス取出流量決定手段１３と、製品ガス取出流量に応じて、吸着室に供給する空気の流量を決定する供給空気流量決定手段２０と、製品ガス取出流量に応じて、吸着室内でのガス加圧時間を決定する加圧時間決定手段３０とを備える。
【００４９】
製品ガス取出流量決定手段１３は、取出流量入力手段１１と、流量調整手段１２とを含む。
【００５０】
好ましくは、酸素濃縮機は、決定された供給空気流量に応じて、コンプレッサ１の能力を制御するコンプレッサ能力制御手段２１を備える。さらに好ましくは、酸素濃縮機は、決定されたガス加圧時間に応じて、入口弁および排出弁５，６，７，８の開閉制御を行なう入口弁・排出弁開閉制御手段３１を備える。
【００５１】
図１３は、酸素濃縮機の制御方法のフローチャートを示している。起動時には、酸素濃縮機は初期設定条件で運転される（Ｓ１）。取出す製品ガス中の酸素濃度を短時間で設定値にまで上昇させるために、起動時にはコンプレッサ能力は最大に設定される。加圧時間は、高い酸素収率を確保できるように供給空気量にみあった時間に設定される。
【００５２】
製品ガス取出量が決定されると、その取出量に応じた最適供給空気量および最適加圧時間が決定される（Ｓ３、Ｓ６）。
【００５３】
決定された最適供給空気量になるようにコンプレッサ能力が制御され（Ｓ４）、さらに決定された最適加圧時間となるように入口弁および排出弁が開閉制御される（Ｓ７）。
【００５４】
その後製品ガス取出量の設定が変更されれば（Ｓ５）、それに応じた最適供給空気量および最適加圧時間が決定される。
【００５５】
図１４は、起動時の供給空気量および加圧時間の変化を示している。たとえば、酸素濃縮機を起動後、製品ガス取出量を２リットル／分に設定した場合には、供給空気量および加圧時間は次のように制御される。
【００５６】
まず、取出す製品ガス中の酸素濃度を短時間で上昇させるために、供給空気量が最大限、たとえば１００リットル／分に設定される。その場合の加圧時間は、高い酸素収率となるように設定される。たとえば加圧時間は１０秒である。
【００５７】
その後、設定した製品ガス取出量（たとえば２リットル／分）に適合した供給空気量（３０リットル／分）および加圧時間（１５秒）となるように、供給空気量および加圧時間を連続的に変化させる。
【００５８】
図１５は、酸素濃縮機の運転中に製品ガス取出量の設定を変更したときの供給空気量および加圧時間の変化を示す。
【００５９】
製品ガス取出量を２リットル／分から３リットル／分に変更したとする。この場合、変更後の製品ガス取出量中の酸素濃度を短時間で所定の値に上昇させるために、まず供給空気量を最大限（たとえば１００リットル／分）にし、その供給空気量にみあった加圧時間（たとえば１０秒）にする。その後連続的に供給空気量および加圧時間を変化させ、設定した取出量３リットル／分に対して最適な供給空気量（たとえば５５リットル／分）および加圧時間（たとえば１２秒）にする。
【００６０】
図１６に示すように、酸素濃縮機は好ましくは、酸素濃度検出手段４０と、酸素濃度比較手段４１と、供給空気流量決定手段４２と、加圧時間決定手段４３とを備える。酸素濃度検出手段４０は、吸着室から取出される酸素濃縮ガスの酸素濃度を検出する。酸素濃度比較手段４１は、検出した酸素濃度と予め設定した酸素濃度とを比較する。供給空気流量決定手段４２は、検出酸素濃度が設定酸素濃度を下回ることが判別されたのに応じて、設定酸素濃度に近づけるように供給空気流量を調整する。加圧時間決定手段４３は、検出酸素濃度が設定酸素濃度を下回ることが判別されたのに応じて、設定酸素濃度に近づけるように加圧時間を調整する。
【００６１】
図１６に示したような手段を備えれば、電源周波数が異なった地域で使用されても同一酸素濃度の製品ガスを取出すことができる。また、長期間の使用によって吸着剤の性能が劣化してきた場合であっても、取出す製品ガス中の酸素濃度をほぼ同一に維持することができる。
【００６２】
本願発明を説明するのに用いた実施例はあくまで例示的なものであり、この発明の均等の範囲内において種々の修正や変形が可能である。たとえば、図示した実施例では２個の吸着筒を備えていたが、この発明は１個の吸着筒のみを備えた酸素濃縮機にも等しく適用されるものである。
【００６３】
【発明の効果】
以上説明したように、この発明によれば、製品ガス取出量に応じて、最適供給空気量および最適加圧時間を決定するので、酸素濃縮機の低消費電力化を図るとともに、高い酸素収率で製品ガスを取出すことができる。
【図面の簡単な説明】
【図１】圧力変動吸着型酸素濃縮機を模式的に示す図である。
【図２】酸素濃縮機の加圧／排気サイクルを示す図である。
【図３】ステップ１におけるガスの流れを示す図である。
【図４】ステップ２におけるガスの流れを示す図である。
【図５】ステップ３におけるガスの流れを示す図である。
【図６】ステップ４におけるガスの流れを示す図である。
【図７】ステップ５におけるガスの流れを示す図である。
【図８】ステップ６におけるガスの流れを示す図である。
【図９】供給空気流量を変えた場合の製品ガス中の酸素濃度と加圧時間との関係を示す図である。
【図１０】最大酸素収率を確保するための供給空気量と加圧時間との関係を示す図である。
【図１１】この発明に従った制御方法を示すフローチャートである。
【図１２】この発明の一実施を示すブロック図である。
【図１３】この発明の制御方法を示すフローチャートである。
【図１４】起動時の供給空気量および加圧時間の変化を示す図である。
【図１５】製品ガス取出量変更時の供給空気量および加圧時間の変化を示す図である。
【図１６】酸素濃度検出手段を備えた実施例のブロック図である。
【符号の説明】
１  コンプレッサ
２，３  吸着筒
４  アキュムレータタンク
１０  製品ガス取出流量決定手段
２０  供給空気流量決定手段
２１  コンプレッサ能力制御手段
３０  加圧時間決定手段
３１  入口弁・排出弁開閉制御手段
【図１】
0003887927.tif 000002
【図２】
0003887927.tif 000003
【図３】
0003887927.tif 000004
【図４】
0003887927.tif 000005
【図５】
0003887927.tif 000006
【図６】
0003887927.tif 000007
【図７】
0003887927.tif 000008
【図８】
0003887927.tif 000009
【図９】
0003887927.tif 000010
【図１０】
0003887927.tif 000011
【図１１】
0003887927.tif 000012
【図１２】
0003887927.tif 000013
【図１３】
0003887927.tif 000014
【図１４】
0003887927.tif 000015
【図１５】
0003887927.tif 000016
【図１６】
0003887927.tif 000017